(57)【特許請求の範囲】
【請求項１】
下端部にブレード（３）を有してモーアデッキ（１２)に軸装されるブレード軸（２）に、外周上縁を開口し、皿縁（４）を有して、給水パイプ（３３）から供給される洗浄水を受けて外周上部へ放水案内する内放水皿（６）と、傾斜皿縁（５）を有する外放水皿（７）を設け、これら内放水皿（６）の皿縁（４）と外放水皿（７）の傾斜皿縁（５）間の皿間隔部（８）上に、刈刃カバー（１）下面に形成の環状の案内突条部（９）をのぞませて設け、前記傾斜皿縁（５）の放水端縁（４０）を、前記案内突条部（９）の外周側高位置に延長させて刈刃カバー（１）の下面に接近させて設けたことを特徴とするモーアデッキの洗浄装置。
【請求項２】
前記外放水皿（７）の傾斜皿縁（５）内周面に放水羽根板（１１）を配置して放水案内する放水路（４１）と、この放水路（４１）の途中に放水口（４２）を形成し、この放水路（４１）を案内される洗浄水を放水口（４２）から傾斜皿縁（５）の外周面を経て刈刃カバー（１）面に噴出案内することを特徴とする請求項１に記載のモーアデッキの洗浄装置。
【請求項３】
前記傾斜皿縁（５）の内周面に放水羽根板（１１）によって形成される放水路（４１）の上側には、この放水路（４１）の流水を放水口（４２）へ流出案内する案内板（４３）を設けたことを特徴とする請求項２に記載のモーアデッキの洗浄装置。
【請求項４】
前記外放水皿（７）の内周面に配置の放水羽根板（１１）を、各放水案内角度を相異させて回転方向に対して向い角（Ａ）を有した向い羽根板（１１Ａ）と、後退角（Ｂ）を有した後退羽根板（１１Ｂ）とから構成することを特徴とする請求項２又は３に記載のモーアデッキの洗浄装置。
【発明の詳細な説明】
【技術分野】
【０００１】
この発明は、モーアデッキの洗浄装置に関し、刈刃カバーを放水洗浄するための放水装置が刈取作業中に変形したり損傷したりすることを防止する。
【背景技術】
【０００２】
刈取回転するブレードに洗浄水の流れる水路や、噴水孔等を形成して、このブレードの回転によって洗浄水を刈刃カバーの下面に噴水して洗浄する技術（例えば、特許文献１参照）が知られている。
【先行技術文献】
【特許文献】
【０００３】
【特許文献１】特開平５−２１９８１４号公報
【発明の概要】
【発明が解決しようとする課題】
【０００４】
ブレード軸周りに回転するブレードや、放水皿によって、洗浄水を刈刃カバーの下面に噴出、乃至放水洗浄する形態では、刈取作業時に、これらブレード軸と一体回転の洗浄水の噴出ノズルや、放水皿等の、噴水孔部、乃至放水縁部等が、刈取衝撃力や、刈取抵抗、乃至芝草の巻き付き等を受けて、変形したり、破損することが多く、水洗浄時は良好な洗浄効果を維持し難い。
【課題を解決するための手段】
【０００５】
請求項１に記載の発明は、下端部にブレード３を有してモーアデッキ１２に軸装されるブレード軸２に、外周上縁を開口し、皿縁４を有して、給水パイプ３３から供給される洗浄水を受けて外周上部へ放水案内する内放水皿６と、傾斜皿縁５を有する外放水皿７を設け、これら内放水皿６の皿縁４と外放水皿７の傾斜皿縁５間の皿間隔部８上に、刈刃カバー１下面に形成の環状の案内突条部９をのぞませて設け、前記傾斜皿縁５の放水端縁４０を、前記案内突条部９の外周側高位置に延長させて刈刃カバー１の下面に接近させて設けたことを特徴とするモーアデッキの洗浄装置の構成とする。
【０００６】
前記モーアデッキ１２によって刈取作業を行うときは、ブレード軸２の回転伝動によって、ブレード３、及び内放水皿６、外放水皿７等が回転され、このブレード３の回転により芝草の刈取作用が行われる。このとき、外放水皿７の傾斜皿縁５の放水端縁４０が、案内突条部９の外周部を覆うようにして、上側の刈刃カバー１の下面に接近する形態で回転するため、この刈刃カバー１の下面に案内された芝草も、この回転する傾斜皿縁５の放水端縁４０部には接触し難く、この傾斜皿縁５の外周面に案内される芝草があれば、この傾斜皿縁５の外周面を摺動させて、放水端縁４０から刈刃カバー１の下面へ向けて放出案内する。芝草や切り屑等の皿間隔部８への浸入、巻込を防止して、内、外放水皿６，７や案内突条部９の変形、汚れ等を発生させないようにしている。
【０００７】
又、刈取作業後にこのモーアデッキ１２を水洗浄するときは、給水パイプ３３から内放水皿６の内側に洗浄水を供給しながらブレード軸２を回転駆動する。これら各内、外放水皿６，７の回転によって、内放水皿６内に供給された洗浄水が、この皿縁４の全周部から溢れ出て、案内突条部９、及び傾斜皿縁５等を円滑に案内されて、この傾斜皿縁５の放水端縁４０から刈刃カバー１の下面に向けて噴射される放水力によって洗浄される。刈刃カバー１の下面に付着する泥土や、芝草、切り屑等があっても、この洗浄水によってきれいに掃除される。
【０００８】
請求項２に記載の発明は、前記外放水皿７の傾斜皿縁５内周面に放水羽根板１１を配置して放水案内する放水路４１と、この放水路４１の途中に放水口４２を形成し、この放水路４１を案内される洗浄水を放水口４２から傾斜皿縁５の外周面を経て刈刃カバー１面に噴出案内することを特徴とする。
【０００９】
前記のようにモーアデッキ１２の洗浄を行うときは、外放水皿７の傾斜皿縁５内周面に形成の放水路４１に沿って一部の洗浄水が案内されて、この放水路４１の途中に形成の放水口４２から、前記刈刃カバー１の下面や、この傾斜皿縁５の外周面側へ流出される。この放水口４２から傾斜皿縁５の外周面へ流出した一部の洗浄水は、この傾斜皿縁５の外端部の放水端縁４０から直接刈刃カバー１の下面へ向けて放水されて洗浄作用を行う。又、これと同時に、この放水路４１以外の傾斜皿縁５の内周面を案内される放水は、これより先端外周部の放水端縁４０部を洗浄して、切り屑等の付着物を洗浄除去する。すなわち、放水口４２から放出される洗浄水と放水端縁４０から放水される洗浄水とは刈刃カバー１下面の洗浄部分が異なり、放水口４２から放出された洗浄水はブレード軸２から離れた部分を洗浄し、放水端縁４０から放出された洗浄水は、この放水端縁４０皿近傍の刈刃カバー１下面を洗浄する。
【００１０】
請求項３に記載の発明は、前記傾斜皿縁５の内周面に放水羽根板１１によって形成される放水路４１の上側には、この放水路４１の流水を放水口４２へ流出案内する案内板４３を設けたことを特徴とする。
【００１１】
前記のようにモーアデッキ１２の洗浄作用時において、外放水皿７の洗浄水の一部がこの傾斜皿縁５の放水路４１を案内されて放水口４２へ流出されるが、この放水路４１は、傾斜皿縁５の内周面を放射方向に沿う放水羽根板１１で仕切って、反回転方向へ流動しようとする洗浄水をせき止めながら、放射方向側に位置する放水口４２側へ流動案内すると共に、この放水路４１の上側には、放水羽根板１１の上端縁から下部の放水口４２部にわたって、流水を放水口４２へ案内するように形成の案内板４３を形成して、これら放水路４１に沿って放水口４２へ流れる洗浄水が、放水路４１から上側へ逃げ出し難く構成する。
【００１２】
請求項４に記載の発明は、前記外放水皿７の内周面に配置の放水羽根板１１を、各放水案内角度を相異させて回転方向に対して向い角Ａを有した向い羽根板１１Ａと、後退角Ｂを有した後退羽根板１１Ｂとから構成することを特徴とする。
【００１３】
前記モーアデッキ１２の洗浄作業時は、外放水皿７の内周面に形成される放水羽根板１１によって仕切られて、この仕切部には略放射方向に沿う放水路４１が、外傾斜皿縁５部と放水羽根板１１部との折曲交差部間に形成されて、外傾斜皿縁５の回転外周の放水端縁４０から直接放水された後の残余の洗浄水が、この放水路４１に集流されて、この放水路４１の前記放水口４２、又はこの放水口４２を形成しない場合は、放水路４１の放水端縁４０部から、上側の刈刃カバー１下面へ向けて放水される。このとき、この放水羽根板１１には、回転方向に対する角度の相異なる向い羽根板１１Ａと、後退羽根板１１Ｂとが形成されるため、この向い角Ａを形成した向い羽根板１１Ａによる放水力は比較的弱いのに対して、後退角Ｂを形成した後退羽根板１１Ｂによる放水力は強く維持されて、刈刃カバー１の下面へ放水洗浄する。これら各放水力の強弱異なる向い羽根板１１Ａと、後退羽根板１１Ｂとによって、洗浄水圧を強、弱に波動させながら刈刃カバー１に放水させて、洗浄効果を高く維持する。
【発明の効果】
【００１４】
請求項１に記載の発明は、前記ブレード３と一体的に回転する外放水皿７の放水端縁４０は、刈刃カバー１の下面に接近して設けられて回転するため、刈取作業時に芝草が傾斜皿縁５の放水端縁４０に接触し難く、又は衝突したり、巻き付くようなことは殆んどなくなり、従って、この放水端縁４０が変形したり、損傷することが少ない。又、刈取作用時に傾斜皿縁５の外周面下部に絡み付く芝草があっても、この傾斜皿縁５の回転に遠心作用を受けて、放水端縁４０側へ移動させて絡み付きを解放、分離するようにして、これら傾斜皿縁５の下端部とブレード３との重合間の間隔部に対する芝草の巻込を防止する。又、モーアデッキ１２の洗浄時は、前記のように外放水皿７の放水端縁４０を刈刃カバー１の下面に接近させて回転し、かつ、この放水端縁４０の放水案内の形状が正確に維持されているために、洗浄水の放水力を強く維持して、洗浄効果を高めることができる。
【００１５】
請求項２に記載の発明は、前記外放水皿７の傾斜皿縁５の放水路４１には、放水口４２を形成して、この放水口４２から一部の洗浄水を傾斜皿縁５の外周部へ放水させることによって、刈刃カバー１の下面に対する放水域を、内、外周部に広くして洗浄することができ、傾斜皿縁５外周面の放水端縁４０部に付着する泥土や、芝草の切り屑の洗浄除去して、刈取作業時の芝草の付着や巻き付き等を防止することができる。
【００１６】
請求項３に記載の発明は、前記回転する傾斜皿縁５と、この内周面に配設の放水羽根板１１とによって形成される放水路４１の上側部には、この放水路４１の放水を放出口４２へ案内して、この放出口４２から傾斜皿縁５の外周面側へ流出するように案内するため、この放水口４２から外周部へ放水される洗浄水勢力を高く維持して、刈刃カバー１の下面に対する放水圧を高く維持し乃至放水域を広くすることができ、傾斜皿縁５外周面の放水端縁４０の洗浄効果を高めることができる。
【００１７】
請求項４に記載の発明は、前記外放水皿７の傾斜皿縁５に配置の放水羽根板１１の放水案内角度を、向い角Ａと後退角Ｂとに異なる角度にして設定することによって、刈刃カバー１の下面に対する放水域を変えたり、放水力を強弱に変えて、洗浄水を波動、乃至脈動させることによって洗浄効果を高めることができる。しかも、傾斜皿縁５の傾斜角は一定にして、放水羽根板１１の放水案内角度を向い角Ａと後退角Ｂのように変えて取付ける形態であるから、構成を簡潔にすることができる。
【図面の簡単な説明】
【００１８】
【図１】ブレード軸部の側面図。
【図２】その放水皿部の平面図。
【図３】ミッドモーアの側面図。
【図４】その平面図。
【図５】一部別実施例を示すブレード軸部の側面図。
【図６】その外放水皿部の平面図。
【図７】その外放水皿の一部の斜視図。
【発明を実施するための形態】
【００１９】
図面に基づいて、モーアデッキ１２は、車体１３の前輪１４と後輪１５の間の腹部に装着されて、ミッドモーア形態としている。車体１３は、ステアリングハンドル１６によって操向可能の前輪１４と、後部に搭載のエンジン１７によって駆動される後輪１５とによって、四輪走行形態に構成し、運転席１８、及びフロア１９等を有する。モーアデッキ１２は、中央下部にブレード軸２を有してブレード３を回転伝動可能に構成し、前後一対の平行リンク２０によって車体１３腹部に昇降可能に装着する。車体１３後部の出力軸２１と、モーアデッキ１２のブレード軸２上端の入力プーリ２２との間にベルト２３を掛け渡して伝動構成する。２４はリフトアームで、モーアデッキ１２を昇降操作することができる。
【００２０】
モーアデッキ１２は、中央部にブレード軸２を回転自在に軸受けする軸受ボス２５を有し、この軸受ボス２５の外周に刈刃カバー１と、案内板１０を固定して、ブレード３の回転上側面を覆う。ブレード軸２の下端部には、メタル２６、ボルト２７、ナット２８等を介して、内、外の放水皿６，７及びブレード３を取付けて、このブレード軸２周りに一体回転することができる。前記放水皿６，７、及びブレード３の中央部には、前記ブレード軸２下端部のボルト軸２９に嵌合できる軸穴を形成して、この軸穴部をボルト軸２９に下端側から嵌合して、メタル２６部に重合させることができ、このボルト軸２９にナット２８を螺合して締付けて、ブレード３等を取付けることができる。この状態で、各放出皿６，７及びブレード３の重合部にわたって形成のボルト穴にボルト２７を挿通して、前記メタル２６に螺合して締付けることによって、ブレード軸２に一体回転するように固定して取付けることができる。
【００２１】
前記各放水皿６，７は、ブレード３の回転中央上面に取付けられて、一体回転する。又、案内板１０は、これら放水皿６，７の上側に対向して、刈刃カバー１の下面中央部を覆う形態に構成される。放水皿６は、軸受ボス２５の下部外周部を囲形態に比較的深くした皿縁４を形成する。この皿縁４は、底面部か上端縁部にわたって順次径を大きくした傾斜角Ｅの傾斜面に形成して円錐形筒形状に構成している。この皿縁４の上端縁部は、前記軸受ボス２５の下端縁よりも上位に深く形成して、この軸受ボス２５の下端部はブレード軸２との間に防水シール３０を嵌合し、この放水皿６内に貯留される洗浄水の軸受ボス２５内への浸入を防止する。
【００２２】
前記外側の放水皿７は、前記内側の放水皿６よりも大径に形成して、この放水皿６の下側に重合させる。この外放水皿７の外周部に形成の傾斜皿縁５の傾斜角度Ｄは、内放水皿６の皿縁４の傾斜角度Ｅよりも緩傾斜角に設定して、洗浄水の流れ、放水性を良好にするよう構成している。この外放水皿７の外周端縁は、逆円錐形状に開拡形成して放水端縁４０を形成して、この放水端縁４０から上側外方部へ放水して、上側部を覆う刈刃カバー１の下面へ吹き流す。この外放水皿７の放水端縁４０の位置は、前記内放水皿６の皿縁４の上端縁よりも高く、又、この皿間隔部８にのぞませる案内突条部９の下端縁位置よりも高くして設定し、上側の刈刃カバー１の下面にできるだけ接近させている。そして、この外放水皿７によって、内側の内放水皿６や、案内突条部９を形成する案内板１０等の外周部を被覆する形態としている。この外側の放水皿７の内周面に放水羽根板１１を形成し、放水皿７内に貯留する洗浄水の逃げを少なくして、放水効果を高く維持する。この放水羽根板１１は、傾斜皿縁５内周面に沿って形成し、正確な放水案内を傾斜皿縁５終端まで行わせる形態とする。又、放水羽根板１１の上端縁には回転方向側へ曲げた案内縁３１を形成して、放水効果を有効に維持する。
【００２３】
前記案内板１０は、中央部のボス穴部３２を前記軸受ボス２５の外周に嵌合して取付けるもので、浅い円錐形状に形成し、この円錐形状面の中間部に下方へ押出すように曲げ加工したＵ字状断面の案内突条部９を形成する。この案内突条部９は、ブレード軸２周りの円形リング状態に形成される。この案内板１０を前記内、外の放水皿６，７上面を覆うように構成するが、この案内突条部９を、内側の皿縁４と外側の傾斜皿縁５との間の皿間隔部８上にのぞませて、内側の放水皿６から外周へ放出された洗浄水を、この案内突条部９で案内して、外側の放出皿７内へ流下案内する。各放水皿６，７の底部に水抜孔３６，３７を形成して、洗浄後の残留水がないように、水切りを速やかに十分行わせることができる。尚、案内板１０は、軸受ボス２５の補強部材として兼用されているが、その形状を限定するものではなく、放水皿６から外周へ放出された洗浄水を放水皿７内に流下案内できればよい。又、前記案内突条部９は、単なる円筒形状形態として、前記案内板１０の下面、又は刈刃カバー１の下面に、一体的に取付けて、下端部を皿間隔部８にのぞませるように構成することもできる。
【００２４】
前記放水皿６内に洗浄水を供給案内するための給水パイプ３３を、軸受ボス２５の外周部の刈刃カバー１部に取付けて、この給水パイプ３３の供給口３４をモアーデッキ１２の外側に形成して、給水ホースを連結することができ、給水口３５を案内板１０下側の放水皿６上にのぞませている。刈取作業を止めてモーアデッキ１２を水洗するときは、ブレード３を駆動回転させながら、給水パイプ３３から内放水皿６内へ給水すると、この給水パイプ３３から内放水皿６内に供給された洗浄水が、上側の案内板１０に向け放水されて、この案内板１０の下面を流れながら、案内突条部９によって外側の外放水皿７に流下案内され、更にこの外放水皿７の傾斜皿縁５、及び放水羽根板１１により放水案内されて、広域の刈刃カバー１下面を洗浄する。
【００２５】
このような給水パイプ３３を介して供給する水によって洗浄作業した後は、給水パイプ３３の供給口３４から給水ホースの連結を外すが、前記ブレード３の回転によって、各放水皿６，７内に供給されていた洗浄水は、内、外放水皿６，７底部の水抜孔３６，３７から脱水されたり、この回転遠心作用によって外方へ射出され易く、又、これら内、外放水皿６，７の上面の開口状態によって乾燥状態も速やかに行われるため、各内、外放出皿６，７等の腐蝕を防止することができる。
【００２６】
前記外放水皿７の傾斜皿縁５の内周面に形成の放水羽根板１１は、放射方向線Ｒに沿った放水案内角度に設定して（図２参照）、内側上面に適宜高さに形成して放水路４１を構成し、放水端縁４０から上方へ放水されて傾斜皿縁５の回転後位に残された洗浄水を、この放水路４１で集流案内して、この放水路４１の放水端縁４０から上方へ放水する。この放水羽根板１１の放水案内角度は、前記放射方向線Ｒに沿う方向から、この回転方向に対して後退角Ｂを形成する方向の領域において適宜選定することができる（図６参照）。又、この放水羽根板１１を適宜間隔毎に複数個所に配置する形態では、各放水羽根板１１の放水案内角度を緩急変更して設け、各放水路４１を案内されて上側の刈刃カバー１に放水される放水領域Ｃを内、外に幅広くするように構成することができる。
【００２７】
又、図６，図７に基づいて、前記一部の放水羽根板１１に、回転方向に対して向い角Ａを形成する向い羽根板１１Ａを設け、回転方向に対して前記後退角Ｂを形成する後退羽根板１１Ｂと交互に配置する形態とすることもできる。この形態では、各向い羽根板１１Ａの途中部に傾斜皿縁５に放水口４２を形成して、傾斜皿縁５の下側面に開放する。このように、放水路４１の途中に放水口４２を形成する形態にあっては、この放水路４１の上側部を覆うように形成する案内縁３１の外縁部に案内板４３を設けて、放水路４１の洗浄水を放水口４２へ流出させるように案内する。
【符号の説明】
【００２８】
１      刈刃カバー
２      ブレード軸
３      ブレード
４      皿縁
５      傾斜皿縁
６      内放水皿
７      外放水皿
８      皿間隔部
９      案内突条部
１１    放水羽根板
１１Ａ  向い羽根板
１１Ｂ  後退羽根板
３３    給水パイプ
４０    放水端縁
４１    放水路
４２    放水口
４３    案内板
Ａ      向い角
Ｂ      後退角
【図１】
0005534199.tif 000002
【図２】
0005534199.tif 000003
【図３】
0005534199.tif 000004
【図４】
0005534199.tif 000005
【図５】
0005534199.tif 000006
【図６】
0005534199.tif 000007
【図７】
0005534199.tif 000008